【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
光変調素子を照明する照明光学系と、
第１の固体光源と、前記第１の固体光源からの光の少なくとも一部を前記第１の固体光源からの光とは波長が異なる第１の変換光に変換する第１の波長変換素子と、前記第１の固体光源からの光を前記第１の波長変換素子に導く第１の導光光学系とを備える第１の光源ユニットと、
第２の固体光源と、前記第２の固体光源からの光の少なくとも一部を前記第２の固体光源からの光とは波長が異なるとともに前記第１の変換光とは分光分布が異なる第２の変換光に変換する第２の波長変換素子と、前記第２の固体光源からの光を前記第２の波長変換素子に導く第２の導光光学系とを備える第２の光源ユニットと、
前記第１の光源ユニットからの光を前記照明光学系に導く第１の導光面と、前記第１の導光面とは異なる導光面であって前記第２の光源ユニットからの光を前記照明光学系に導く第２の導光面と、を有する光路合成系と、を備え、
前記照明光学系の光軸方向視において、前記第１の導光面は前記第２の導光面と重ならないとともに前記第２の導光面とは異なる位置に設けられており、
前記光路合成系は、前記第１の光源ユニットからの光を用いて前記第１の導光面上に第１の光源像を形成する第１の集光光学系と、前記第２の光源ユニットからの光を用いて前記第２の導光面上に第２の光源像を形成する第２の集光光学系と、を備え、
前記照明光学系の光軸方向視において、前記第１の光源像と前記第２の光源像との間の距離をｄ１とし、前記第１の光源像の幅のうち前記第１の光源像と前記第２の光源像が並んでいる方向の幅をｄ２とするとき、
０．７≦ｄ１／ｄ２≦１．３
を満足する、
ことを特徴とする照明装置。
【請求項２】
前記第１の導光光学系および前記第２の導光光学系は、前記第１の固体光源からの光および前記第２の固体光源からの光を分割するための複数の第１のレンズ面を備える第１のレンズ面アレイと、前記第１のレンズ面からの光を受光するための複数の第２のレンズ面を備える第２のレンズ面アレイと、前記第２のレンズ面アレイからの光を前記波長変換素子に導く重畳光学系と、を備える、
ことを特徴とする請求項１に記載の照明装置。
【請求項３】
前記照明装置は、前記第１の光源ユニットと前記第２の光源ユニットを含む複数の光源ユニットを備え、
前記照明光学系は、前記光路合成系からの光の偏光方向を変換する偏光変換素子を備え、
前記偏光変換素子の入射面のうち前記光路合成系からの光の偏光方向が所定の偏光方向へ変換される領域を有効領域とし、前記複数の光源ユニットの個数をＮとし、前記有効領域を前記有効領域の第１の辺あるいは前記第１の辺と直交する第２の辺の方向の少なくとも一方に沿ってＮ個に分割した領域の短辺方向の寸法をＸとし、長辺方向の寸法をＹとし、前記第１のレンズ面の短辺方向の寸法をｘとし、長辺方向の寸法をｙとするとき、
【数１】
2017227809.tif 000001
を満足する、
ことを特徴とする請求項２に記載の照明装置。
【請求項４】
前記第１の導光面は、前記第１の光源ユニットからの光を反射する第１の反射面であって、
前記第２の導光面は、前記第２の光源ユニットからの光を反射するとともに、前記照明光学系の光軸と前記第１の反射面の法線とに平行な面において前記照明光学系の光軸と直交する方向の位置が前記第１の反射面とは異なる第２の反射面である、
ことを特徴とする請求項１乃至３のいずれか一項に記載の照明装置。
【請求項５】
前記光路合成系は、前記第１の反射面と前記第２の反射面を備えるプリズムを備える、ことを特徴とする請求項４に記載の照明装置。
【請求項６】
前記第１の導光面は、前記第１の光源ユニットからの光を反射する第１の反射面であって、
前記第２の導光面は、前記第２の光源ユニットからの光を反射するとともに前記第１の反射面とは異なる第２の反射面であって、
前記光路合成系は、
前記第１の反射面を有する第１の反射ミラーと、
前記第２の反射面を備えるとともに、前記照明光学系の光軸と前記第１の反射面の法線とに平行な面の法線方向の位置が前記第１の反射ミラーとは異なる第２の反射ミラーと、を備える、
ことを特徴とする請求項１乃至３のいずれか一項に記載の照明装置。
【請求項７】
前記第１の導光面は、前記第１の光源ユニットからの光を反射する第１の反射面であって、
前記第２の導光面は、前記第２の光源ユニットからの光を透過させるとともに、前記照明光学系の光軸と前記第１の反射面の法線とに平行な面において前記照明光学系の光軸と直交する方向の位置が前記第１の反射面とは異なる第１の透過面である、
ことを特徴とする請求項１乃至３のいずれか一項に記載の照明装置。
【請求項８】
前記第１の波長変換素子は、前記固体光源からの光の少なくとも一部を緑色帯域の光に変換する緑色用蛍光体であって、
前記第２の波長変換素子は、前記固体光源からの光の少なくとも一部を赤色帯域の光に変換する赤色用蛍光体である、
ことを特徴とする請求項１乃至７のいずれか一項に記載の照明装置。
【請求項９】
前記第１の波長変換素子は、第１の基板と、前記第１の基板上に第１の方向に連続して形成された第１の波長変換層とを備え、
前記第２の波長変換素子は、第２の基板と、前記第２の基板上に第２の方向に連続して形成された第２の波長変換層とを備え、
前記第１の波長変換層からの光の分光分布と、前記第２の波長変換層からの光の分光分布とは互いに異なる、
ことを特徴とする請求項１乃至８のいずれか一項に記載の照明装置。
【請求項１０】
前記第１の基板は円形であり、前記第１の方向は前記第１の基板の周方向であって、
前記第２の基板は円形であり、前記第２の方向は前記第２の方向の周方向である、
ことを特徴とする請求項９に記載の照明装置。
【請求項１１】
請求項１乃至１０のいずれか一項に記載の照明装置と、
前記光変調素子としての第１の光変調素子、第２の光変調素子、第３の光変調素子と、前記照明装置からの光を前記第１の光変調素子、前記第２の光変調素子、前記第３の光変調素子に導くとともに、前記第１の光変調素子、前記第２の光変調素子、前記第３の光変調素子からの光を合成する色分離合成系と、を備える、
ことを特徴とする投射型表示装置。
【請求項１２】
前記色分離合成系からの光を被投射面に導く投射光学系をさらに備える、
ことを特徴とする請求項１１に記載の投射型表示装置。
【請求項１３】
前記色分離合成系は、前記所定の偏光方向の光を、前記所定の偏光方向の光と偏光方向が異なる光よりも多く透過させる偏光板を有している、
ことを特徴とする請求項１１または１２に記載の投射型表示装置。
【手続補正２】
【補正対象書類名】明細書
【補正対象項目名】０００７
【補正方法】変更
【補正の内容】
【０００７】
上記課題の解決のために、本発明における照明装置は、
光変調素子を照明する照明光学系と、
第１の固体光源と、前記第１の固体光源からの光の少なくとも一部を前記第１の固体光源からの光とは波長が異なる第１の変換光に変換する第１の波長変換素子と、前記第１の固体光源からの光を前記第１の波長変換素子に導く第１の導光光学系とを備える第１の光源ユニットと、
第２の固体光源と、前記第２の固体光源からの光の少なくとも一部を前記第２の固体光源からの光とは波長が異なるとともに前記第１の変換光とは分光分布が異なる第２の変換光に変換する第２の波長変換素子と、前記第２の固体光源からの光を前記第２の波長変換素子に導く第２の導光光学系とを備える第２の光源ユニットと、
前記第１の光源ユニットからの光を前記照明光学系に導く第１の導光面と、前記第１の導光面とは異なる導光面であって前記第２の光源ユニットからの光を前記照明光学系に導く第２の導光面と、を有する光路合成系と、を備え、
前記照明光学系の光軸方向視において、前記第１の導光面は前記第２の導光面と重ならないとともに前記第２の導光面とは異なる位置に設けられており、
前記光路合成系は、前記第１の光源ユニットからの光を用いて前記第１の導光面上に第１の光源像を形成する第１の集光光学系と、前記第２の光源ユニットからの光を用いて前記第２の導光面上に第２の光源像を形成する第２の集光光学系と、を備え、
前記照明光学系の光軸方向視において、前記第１の光源像と前記第２の光源像との間の距離をｄ１とし、前記第１の光源像の幅のうち前記第１の光源像と前記第２の光源像が並んでいる方向の幅をｄ２とするとき、
０．７≦ｄ１／ｄ２≦１．３
を満足する、
ことを特徴とする。